(57)【特許請求の範囲】
【請求項１】
電子機器ケース内に収容された基板に対して接続される端子台コネクタ本体からなる端子台コネクタにおいて、
上記端子台コネクタは、一端に把持部を有するスライダを備え、
上記スライダは、上記端子台コネクタ本体の底部側面に突出形成されたガイド部材と、上記端子台コネクタ本体を介して上記ガイド部材と対向する側に設けられた別のガイド部材とにより挟み込まれる構造とすることで、端子台コネクタの組み立て時に、上記端子台コネクタ本体に一体化された部品として該端子台コネクタ本体の下部又は底面にスライド可能に装着されてなり、
上記スライダのスライド移動により、上記電子機器ケースと上記端子台コネクタ本体との固定ロックおよびその固定ロックの解除を行うこと
を特徴とする端子台コネクタ。
【請求項２】
上記固定ロックとその解除の機構は、
上記スライダにロック用係合部が設けられ、
上記スライダのスライド移動により、上記ロック用係合部が上記電子機器ケース側のロック用係合部に対する係合のロックまたは解除をする構造からなること
を特徴とする請求項１に記載の端子台コネクタ。
【請求項３】
基板を収容した電子機器ケースと、上記電子機器ケース内の基板に接続される端子台コネクタ本体からなる端子台コネクタとにより構成される電子機器において、
上記電子機器は、
上記電子機器ケース側に設けたロック用係合部と、
一端に把持部を有するスライダと、
上記スライダに設けたロック用係合部とを具備し、
更に、上記スライダは、上記端子台コネクタ本体の底部側面に突出形成されたガイド部材と、上記端子台コネクタ本体を介して上記ガイド部材と対向する側に設けられた別のガイド部材とにより挟み込まれる構造とすることで、端子台コネクタの組み立て時に、上記端子台コネクタ本体に一体化された部品として上記端子台コネクタ本体の下部又は底面にスライド可能に装着されてなるものとし、
上記スライダを移動することにより、上記電子機器ケース側のロック用係合部と上記スライダのロック用係合部とが係合または解除するようにし、電子機器ケースに対し端子台コネクタを着脱可能としたこと
を特徴とする電子機器。
【請求項４】
基板を収容した電子機器ケースと上記電子機器ケース内の基板に接続される端子台コネクタ本体からなる端子台コネクタとの取付構造において、
上記取付構造は、
上記電子機器ケース側にロック用係合部を設け、
上記端子台コネクタ本体側に、一端に把持部を有するスライダを設け、
上記スライダにロック用係合部を設け、
上記スライダは、上記端子台コネクタ本体の底部側面に突出形成されたガイド部材と、上記端子台コネクタ本体を介して上記ガイド部材と対向する側に設けられた別のガイド部材とにより挟み込まれる構造とすることで、端子台コネクタの組み立て時に、上記端子台コネクタ本体に一体化された部品として、上記端子台コネクタ本体の下部又は底面にスライド可能に装着されてなり、
上記端子台コネクタのスライダを移動することにより、上記電子機器ケース側のロック用係合部と上記端子台コネクタのスライダのロック用係合部とが互いに係合または解除すること
を特徴とする端子台コネクタと電子機器ケースの取付構造。
【発明の詳細な説明】
【０００１】
【発明の属する技術分野】
この発明は、端子台コネクタ、電子機器、および端子台コネクタと電子機器の取付構造に関する。
【０００２】
【従来の技術】
一般に、プログラマブルコントローラ（ＰＬＣ）など電子機器を構成する各ユニット等に用いられる端子台コネクタとしては、▲１▼カードエッジタイプの端子台コネクタと、▲２▼２ピースタイプの端子台コネクタが知られている。
【０００３】
上記▲１▼のカードエッジタイプの端子台コネクタは、端子台コネクタ本体を電子機器ケースに取り付けるとともに、その電子機器ケース内に収容されている基板のカードエッジ端子に、当該端子台コネクタ本体を差し込み接続する構造である。
【０００４】
上記▲２▼の２ピースタイプの端子台コネクタも、端子台コネクタ本体を電子機器ケースに取り付ける構造であるが、その電子機器ケース内に収容されている基板側との接続構造が▲１▼のカードエッジタイプの端子台コネクタとは異なる。すなわち、２ピースタイプの端子台コネクタの場合は、電子機器ケース内に収容されている基板側にコネクタが設けられており、この基板側のコネクタに端子台コネクタ本体を差し込み接続するように構成されている。
【０００５】
ところで、従来、上記▲１▼▲２▼のカードエッジタイプ若しくは２ピースタイプの端子台コネクタと電子機器ケースとの固定方式としては、次の（１）（２）の方式が主に採用されていた。
（１）ネジ止め方式
ネジ止め方式は、上記▲１▼▲２▼のカードエッジタイプ若しくは２ピースタイプの端子台コネクタについて、その端子台コネクタ本体の長手方向両端をねじで固定する方式である。
（２）アングルフック方式
上記▲１▼のカードエッジタイプの端子台コネクタの場合は、その端子台コネクタ本体の長手方向両端に爪付きのアングルフックを設け、このアングルフックで端子台コネクタ本体を電子機器ケース側に固定する。
【０００６】
上記▲２▼の２ピースタイプの端子台コネクタの場合は、電子機器ケース内に収納される基板のコネクタ側に爪付きのアングルフックを設け、このアングルフックで端子台コネクタ本体を掴んで固定する。
【０００７】
図１２は、アングルフック方式を採用した端子台コネクタの一例を示す組立分解図である。なお、この図１２に示した端子台コネクタ１はカードエッジタイプである。
【０００８】
図１２に示した端子台コネクタ１の場合は、その端子台コネクタ本体１００を電子機器ケース２００の上面の取付穴２１０に取り付ける。そして、電子機器ケース２００内に収容されている基板３００のカードエッジ端子３１０が当該端子台コネクタ本体１００に差し込み接続される。図中符号２３０は電子機器ケース２００の上面に設けられた表示部である。
【０００９】
上記のように端子台コネクタ本体１００を電子機器ケース２００に取り付ける際には、その端子台コネクタ本体１００の離脱防止のために、端子台コネクタ本体１００を電子機器ケース２００側に固定する必要があり、その固定の一手段として、図１２に示した端子台コネクタ１では、２つの爪付きのアングルフック４００ａ、４００ｂを用いており、この爪付きアングルフック４００ａ、４００ｂは、端子台コネクタ本体１００の長手方向の両端部に回動可能に取り付けられている。
【００１０】
しかしながら、上記のような従来の端子台コネクタ１の固定方式では、端子台コネクタ本体１００の長手方向両端にねじ止め部若しくはアングルフックを設ける必要があるため、そのためのスペースを必要とし、これがユニットを小型化する上での大きな制約となっていた。
【００１１】
特に、ねじ止め方式によると、雌ねじをインサートメタルとして、電子機器ケース成形時または成形後等に挿入する必要があるためにコストアップになるという問題があった。
【００１２】
アングルフック方式によると、部品点数が多くなるため、その組立て工数も含めてコストアップに繋がるだけでなく、電子機器ケース２００の端子台コネクタ搭載面に図１２に示したような表示部２３０等が設けられている構造の場合、アングルフック４００ａ、４００ｂが邪魔になり、表示部２３０等の視認性を損なうという問題もあった。
【００１３】
さらに、ねじ止め方式では、端子台コネクタ１の取り付け時だけでなく、その取り外し時にもドライバが必要となり、このため端子台コネクタ１の取り付け作業と取り外し作業に手間がかかり、また、アングルフック方式では、アングルフック４００ａ、４００ｂを片側ずつ解除またはロックする必要があるためその操作性に問題があった。
【００１４】
【発明が解決しようとする課題】
そこで、この発明は、端子台コネクタの固定スペースを小さくして電子機器の小型化を可能とするのに好適で、かつ、その固定のための操作が容易な端子台コネクタ、電子機器、および端子台コネクタと電子機器の取付構造を提供することを目的とする。
【００１５】
【課題を解決するための手段】
上記目的を達成するために、この発明に係る端子台コネクタは、電子機器ケース内に収容された基板に対して接続される端子台コネクタ本体からなる端子台コネクタにおいて、上記端子台コネクタは、一端に把持部を有するスライダを備え、上記スライダは、上記端子台コネクタ本体の底部側面に突出形成されたガイド部材と、上記端子台コネクタ本体を介して上記ガイド部材と対向する側に設けられた別のガイド部材とにより挟み込まれる構造とすることで、端子台コネクタの組み立て時に、上記端子台コネクタ本体に一体化された部品として該端子台コネクタ本体の下部又は底面にスライド可能に装着されてなり、上記スライダのスライド移動により、上記電子機器ケースと上記端子台コネクタ本体との固定ロックおよびその固定ロックの解除を行うことを特徴とするものである。
【００１６】
ここで、上記固定ロックとその解除の機構については、上記スライダにロック用係合部が設けられ、上記スライダのスライド移動により、上記ロック用係合部が上記電子機器ケース側のロック用係合部に対する係合のロックまたは解除をする構造を採用することができる。
【００１８】
この発明に係る電子機器は、基板を収容した電子機器ケースと、上記電子機器ケース内の基板に接続される端子台コネクタ本体からなる端子台コネクタとにより構成される電子機器において、上記電子機器は、上記電子機器ケース側に設けたロック用係合部と、一端に把持部を有するスライダと、上記スライダに設けたロック用係合部とを具備し、上記スライダは、上記端子台コネクタ本体の底部側面に突出形成されたガイド部材と、上記端子台コネクタ本体を介して上記ガイド部材と対向する側に設けられた別のガイド部材とにより挟み込まれる構造とすることで、端子台コネクタの組み立て時に、上記端子台コネクタ本体に一体化された部品として上記端子台コネクタ本体の下部又は底面にスライド可能に装着されてなり、上記スライダを移動することにより、上記電子機器ケース側のロック用係合部と上記スライダのロック用係合部とが係合または解除するようにし、電子機器ケースに対し端子台コネクタを着脱可能としたことを特徴とする。
【００１９】
この発明に係る端子台コネクタと電子機器ケースの取付構造は、基板を収容した電子機器ケースと上記電子機器ケース内の基板に接続される端子台コネクタ本体からなる端子台コネクタとの取付構造において、上記取付構造は、上記電子機器ケース側にロック用係合部を設け、上記端子台コネクタ本体側に、一端に把持部を有するスライダを設け、上記スライダにロック用係合部を設け、更に、上記スライダは、上記端子台コネクタ本体の底部側面に突出形成されたガイド部材と、上記端子台コネクタ本体を介して上記ガイド部材と対向する側に設けられた別のガイド部材とにより挟み込まれる構造とすることで、端子台コネクタの組み立て時に、上記端子台コネクタ本体に一体化された部品として、上記端子台コネクタ本体の下部又は底面にスライド可能に装着されてなるものとし、上記端子台コネクタのスライダを移動することにより、上記電子機器ケース側のロック用係合部と上記端子台コネクタのスライダのロック用係合部とが互いに係合または解除することを特徴とする。
【００２０】
ここで、上記電子機器側のロック用係合部は、固定ロック位置でスライダのロック用係合部と係合し端子台コネクタを電子機器ケースに固定することができるものであれば、その形状はどのようなものでもよい。また、スライダ側のロック用係合部の形状も上記電子機器側のロック用係合部に対応した任意の形状を採用することができる。
【００２１】
なお、この発明において、電子機器とは、例えばＰＬＣを構成するユニットを含み、また、電子機器ケースとは、例えば、ＰＬＣを構成する各ユニットのユニットケース等を含み、この電子機器ケース内には、ユニット等の基板（回路基板）が収納される。
【００２２】
【発明の実施の形態】
以下、この発明をプログラマブルコントローラ（ＰＬＣ）に適用した実施の形態について添付図面に基づき詳細に説明する。
【００２３】
図１はＰＬＣの構成ユニットに内蔵されている基板がカードエッジタイプである場合に、このカードエッジタイプの基板に接続される端子台コネクタの組立分解斜視図、図２は図１に示した端子台コネクタの固定ロック状態の説明図、図３は図１に示した端子台コネクタの固定ロック解除状態の説明図、図４は図１に示した端子台コネクタのスライダの動作説明図である。
【００２４】
これらの図を用いて本実施形態のＰＬＣを説明すると、本実施形態のＰＬＣにおいて、端子台コネクタ１は、複数の端子部１ａを有する形態の端子台コネクタ本体１００からなり、この端子台コネクタ本体１００の底面にスライダ１１０が取り付けられている。
【００２５】
スライダ１１０は、端子台コネクタ本体１００の長手方向へスライド移動可能に設けられるとともに、そのスライド移動により、端子台コネクタ本体１００とプログラマブルコントローラ（ＰＬＣ）のユニットを構成するユニットケース２００との、固定ロックおよびその固定ロックの解除を行うように構成されている。
【００２６】
すなわち、本実施形態において、端子台コネクタ１はユニットケース２００のコネクタ搭載面に搭載されるが、このとき、上記のようなスライダ１１０のスライド移動により、端子台コネクタ本体１００とユニットケース２００との固定ロックおよびその固定ロックの解除が行われる。
【００２７】
スライダ１１０による固定ロックとその解除の機構については各種考えられるが、本実施形態では、スライダ１１０にロック用係合部１１１ａ、１１１ｂが設けられ、かつ、当該スライダ１１０のスライド移動により、そのスライダ１１０側のロック用係合部１１１ａ、１１１ｂが、ユニットケース２００側のロック用係合部２１１ａ、２１１ｂに対する係合のロックまたは解除をする構造を採用している。また、この構造を採用するにあたり、本実施形態では、スライダ１１０側のロック用係合部１１１ａ、１１１ｂが、ユニットケース２００側のロック用係合部２１１ａ、２１１ｂの下に出入りし係合するように構成した。
【００２８】
ここで、上記２つのロック用係合部１１１ａ、１１１ｂのうち、一のロック用係合部１１１ａはスライダ１１０の側面に突出形成されており、また、他のロック用係合部１１１ｂはスライダ１１０の先端部に設けられ、かつ、このスライダ１１０の後端部、すなわち当該スライダ１１０の一端部には把持部１１２が一体に形成されている。
【００２９】
ユニットケース２００のコネクタ搭載面には、端子台コネクタ本体１００の下部側を挿入セットするための取付穴２１０が開設されており、このようなユニットケース２００の取付穴２１０の縁部に、上記のようなユニットケース２００側のロック用係合部２１１ａ、２１１ｂが形成されている。
【００３０】
スライダ１１０のスライド移動はスライドガイド手段１１６により案内されるが、図３および図２に示したように、本実施形態では、そのスライドガイド手段１１６の構造として、ガイド部材１１６−１とガイド溝１１６−２とが摺動可能に嵌合する構造を採用している。ここで、ガイド部材１１６−１は端子台コネクタ本体１００の底部側面に突出形成され、ガイド溝１１６−２はスライダ１１０の側面に形成されている。また、本実施形態の場合、上記端子台コネクタ本体１００を介して上記ガイド部材１１６−１と対向する側には、別にガイド部材１１６−３が設けられており、上記スライダ１１０はその２つのガイド部材１１６−１、１１６−３により挟み込まれる形態となっている。したがって、上記のような構造からなる端子台コネクタ１を組み立てる際は、２つのガイド部材１１６―１、１１６−３間にスライダ１１０を挿入セットするだけの簡単な作業で、そのスライダ１１０を端子台コネクタ本体１００にワンタッチで取り付けることができる。
【００３１】
図４に示したように、スライダ１１０の中央付近には窪み１１５が設けられており、この窪み１１５の内側部分には弾性変形可能な薄板状の梁１１４が架けられている。また、その梁１１４上には突起１１３が上向きに一体に形成され、このような梁側突起１１３と対向する側には対向突起１２１が設けられており、その対向突起１２１は端子台コネクタ本体１００の裏面に一体に突出形成されている。
【００３２】
なお、図４においては、端子台コネクタ本体１００の裏面からスライダ１１０が離れて図示されているが、これは説明の便宜上のためで、実際両者は接している。
【００３３】
上記のような構造からなる端子台コネクタ１の場合、スライダ１１０の把持部１１２を押し込むと、当該スライダ１１０は図中左側へスライド移動し、このスライド移動によりスライダ１１０の梁側突起１１３が端子台コネクタ本体１００の対向突起１２１に引っ掛かろうとするが、このとき、スライダ１１０の把持部１１２を少し強く押し込むと、スライダ１１０の梁１１４が撓んで梁側突起１１３が下に沈むので、梁側突起１１３は、対向突起１２１に引っ掛かることなく、その対向突起１２１を容易に越えて前進できる。
【００３４】
上記のようなスライダ１１０のスライド移動により、当該スライダ１１０の梁側突起１１３がユニットケース２００の対向突起１２１を越えると、固定ロックの状態となる。すなわち、スライダ１１０側のロック用係合部１１１ａ、１１１ｂがユニットケース２００側のロック用係合部２１１ａ、２１１ｂの下に入り込み、これにより、端子台コネクタ本体１００とユニットケース２００が固定ロックされる。この状態が図２に示されている。また、上記のように梁側突起１１３が対向突起１２１を越えると、それまで撓んでいた梁１１４は梁自身の弾性復帰力により勢いよく元の状態に戻るが、その戻る勢いで梁側突起１１３が端子台コネクタ本体１００の裏面に衝突し、これにより固定ロック時のクリック感とクリック音が生じる。
【００３５】
また、上記のように押し込まれているスライダ１１０の把持部１１２を引っ張り出すと、当該スライダ１１０は図中右側へスライド移動し、このスライド移動によりスライダ１１０の梁側突起１１３が端子台コネクタ本体１００の対向突起１２１に引っ掛かろうとするが、このとき、スライダ１１０の把持部１１２を少し引っ張ると、スライダ１１０の梁１１４が撓んで梁側突起１１３が下に沈むので、梁側突起１１３は対向突起１２１に引っ掛かることなく、その対向突起１２１を容易に越えて後退できる。
【００３６】
上記のようなスライダ１１０のスライド移動により梁側突起１１３が対向突起１２１を越えると、固定ロックが解除された状態となる。すなわち、ユニットケース２００側のロック用係合部２１１ａ、２１１ｂの下からスライダ１１０側のロック用係合部１１１ａ、１１１ｂが引き出され、これにより端子台コネクタ本体１００とユニットケース２００との固定ロックが解除される。この状態が図３に示されている。また、上記のように梁側突起１１３が対向突起１２１を越えると、それまで撓んでいた梁１１４は梁自身の弾性復帰力により勢いよく元の状態に戻るが、その戻る勢いで梁側突起１１３が端子台コネクタ本体１００の裏面に衝突し、これにより固定ロックを解除した時にもクリック感とクリック音が生じる。
【００３７】
ユニットケース２００の端子台コネクタ１００搭載面には、その長手方向端部側に、複数のＬＥＤからなる表示部２３０が設けられている。
【００３８】
ユニットケース２００内には基板３００が収納されているが、この基板３００の一縁にはカードエッジ端子３１０が形成されており、このような基板３００のカードエッジ端子３１０に端子台コネクタ本体１００が接続される。
【００３９】
図５は、上記の如く構成された端子台コネクタ１をユニットケース２００の取付穴２１０に取り付ける前の状態を示したものである。
【００４０】
この端子台コネクタ１をユニットケース２００の取付穴２１０に取り付ける場合には、図５に示したように、端子台コネクタ本体１００のスライダ１１０をその把持部１１２が突出した状態、すなわち固定ロックの解除状態に設定する。そして、この設定のまま端子台コネクタ本体１００をユニットケース２００の取付穴２１０に挿入する。
【００４１】
図６は、上記の如く構成された端子台コネクタ１をユニットケース２００の取付穴２１０に挿入した状態を示した図である。ただし、この図の状態では、端子台コネクタ本体１００のスライダ１１０の把持部１１２は突出した状態になっており、端子台コネクタ１００とユニットケース２００は未だ固定ロックされていない。
【００４２】
ここで、端子台コネクタ１００とユニットケース２００の固定ロックを行うには、前述のようにスライダ１１０の把持部１１２を少し強く押し込むだけでよい。このようにすると、当該スライダ１１０のスライド移動により、そのスライダ１１０のロック用係合部１１１ａ、１１１ｂがユニットケース２００側のロック用係合部２１１ａ、２１１ｂの下に入り込み、これにより端子台コネクタ１００がユニットケース２００に固定ロックされた状態となる。
【００４３】
また、上記のように固定ロックされた端子台コネクタ１００を取り外す場合には、スライダ１１０の把持部１１２を少し強く引っ張ればよい。このようにすると、当該スライダ１１０のスライド移動により、ユニットケース２００側のロック用係合部２１１ａ、２１１ｂの下から当該スライダ１１０側のロック用係合部１１１ａ、１１１ｂが引き出され、これにより上記固定ロック状態が解除され、端子台コネクタ１００をユニットケース２００から取り外すことが可能となる。
【００４４】
図７は、上記のような固定ロック状態における端子台コネクタ１００とユニットケース２００とを示したものである。この図７に示したように、固定ロック状態では、スライダ１１０の把持部１１２が端子台コネクタ１００から片側に僅かに飛び出しているだけであるので、ユニットケース２００に対する端子台コネクタ１００の固定機構が邪魔にならず、表示部２３０の目視が可能である。
【００４５】
上記のような構成によると、端子台コネクタ１をユニットケース２００に固定するためのスペースを小さくすることができ、これによりユニットケース２００の小型化を図ることが可能になる。
【００４６】
また、端子台コネクタ１をユニットケース２００に固定するのにあたり、スライダ１１０という１個の構成部品を用いればよいので、コストダウンができ、また、端子台コネクタ１の取り付け、取り外しを、スライダ１１０の操作によりワンタッチで行うことができ、端子台コネクタ１００の取り付け、取り外し操作が簡単になる。
【００４７】
なお、上記実施形態では、いわゆるカードエッジタイプの端子台コネクタについてのスライダによる固定ロックとその解除構造について説明したが、いわゆる２ピースタイプの端子台コネクタにおいては、上記のようなスライダによる固定ロックとその解除構造を図８に示したように構成することができる。
【００４８】
図８に示した２ピースタイプの端子台コネクタ１において、その端子台コネクタ本体１００は、ユニットケース２００に搭載され、かつ該ユニットケース２００内に収容された基板３００のコネクタ３２０に差し込み接続される。また、同図の端子台コネクタ１においても、その端子台コネクタ本体１００の底面にスライダ１１０がスライド可能に設けられ、このスライダ１１０のスライド移動によりユニットケース２００と端子台コネクタ本体１００との固定ロックおよびその解除を行うものであり、当該スライダ１１０にはロック用係合部１１１ａ、１１１ｂが設けられているが、このようなスライダ１１０側のロック用係合部１１１ａ、１１１ｂと係合するユニットケース２００側のロック用係合部２１１ａ、２１１ｂの設置場所が上記実施形態と異なる。
【００４９】
すなわち、この２ピースタイプの端子台コネクタ１の場合、図８に示したように、ユニットケース２００側のロック用係合部２１１ａ、２１１ｂは、ユニットケース２００に収納される基板３００のコネクタ３２０に設けることでき、この構造の場合、当該ロック用係合２１１ａ、２１１ｂは、コネクタ３２０の外装ケース縁部３２０ａを一部切り欠いて形成することができる。
【００５０】
上記構成によっても、端子台コネクタ１をユニットケース２００に固定するためのスペースを小さくすることができ、これによりユニットケース２００の小型化を可能にすることができる。
【００５１】
また、端子台コネクタ１をユニットケース２００に固定するのにあたり、スライダ１１０という１個の構成部品を用いればよいので、コストダウンができ、また、端子台コネクタ１の取り付けとその取り外しを、スライダ１１０の操作によりワンタッチで行うことができ、端子台コネクタ１００の取り付け、取り外し操作が簡単になる。
【００５２】
上記実施形態では、端子台コネクタ本体１００の裏面に対向突起１２１を設けたが、これに代えて、図９に示したように端子台コネクタ本体１００の裏面に、スライダ１１０の梁側突起１１３と嵌合可能な２つの嵌合穴１２１ａ、１２１ｂを設けてもよい。この場合、スライダ１１０のスライド移動により梁側突起１１３が一方の嵌合穴１２１ｂに嵌合したときは、スライダ１１０側のロック用係合部１１１ａ、１１１ｂがユニットケース２００側のロック用係合部２１１ａ、２１１ｂの下に入り込み、これにより、端子台コネクタ本体１００とユニットケース２００が固定ロックされるものとし、また、スライダ１１０のスライド移動により梁側突起１１３が他方の嵌合穴１２１ａに嵌合したときは、ユニットケース２００側のロック用係合部２１１ａ、２１１ｂの下からスライダ１１０側のロック用係合部１１１ａ、１１１ｂが引き出され、これにより端子台コネクタ本体１００とユニットケース２００との固定ロックが解除されるものとする。
【００５３】
このような構成によっても、クリック感とクリック音を得ることができるとともに、端子台コネクタ１００の固定操作を確実に行うことが可能になる。
【００５４】
なお、図９においても、端子台コネクタ本体１００の裏面からスライダ１１０が離れて図示されているが、これは説明の便宜上のためで、実際両者は接している。
【００５５】
上記実施形態では、スライダガイド１２０の先端部と該スライダガイド１２０の側面にロック用係合部１１１ａ、１１１ｂを設けたが、この２つのロック用係合部１１１ａ、１１１ｂについては、図１０に示したようにスライダガイド１２０の同一側面に併設してもよい。
【００５６】
上記実施形態では、スライダ１１０を端子台コネクタ本体１００の底面に設けた例について説明したが、スライダ１１０は、図１１に示したように端子台コネクタ本体１００の下部に設けることもできる。この場合は、端子台コネクタ本体１００下部側の側面を一部切り欠くとともに、その側面の切り欠き部１００ａにスライダ１１０をスライド可能に設置するように構成することができる。
【００５７】
【発明の効果】
以上説明したようにこの発明によれば、
１）端子台コネクタを電子機器ケースにロックおよびロック解除するに当たっては、一端に把持部を有するスライダを介して行う構造のため、スペースを小さくすることができ、これによりユニットの小型化を図ることができ、かつ電子機器ケースに設けられている表示部を邪魔することがない、
２）端子台コネクタを電子機器ケースに固定するのにあたり、スライダという１個の構成部品を用いればよいので、コストダウンができる、
３）端子台コネクタの取り付け、取り外しを、スライダの操作によりワンタッチで行うことができ、端子台コネクタの取り付け、取り外し操作が簡単になる、
４）スライダを端子台コネクタ本体の側面または底面にもうけることで、基板の実装スペースを損なうことなく十分確保できる、
という効果を奏する。
【図面の簡単な説明】
【図１】この発明をプログラマブルコントローラ（ＰＬＣ）に適用した実施の形態であって、当該ＰＬＣの構成ユニットに内蔵されている基板がカードエッジタイプである場合に、このカードエッジタイプの基板に接続される端子台コネクタの組立分解斜視図。
【図２】図２は図１に示した端子台コネクタの固定ロック状態の説明図、同図（ａ）はその固定ロック状態の端子台コネクタを示す上面図、同図（ｂ）はその正面図、同図（ｃ）はその側面図である。
【図３】図３は図１に示した端子台コネクタの固定ロック解除状態の説明図、同図（ａ）はその固定ロック解除状態の端子台コネクタを示す上面図、同図（ｂ）はその正面図、同図（ｃ）はその側面図である。
【図４】図１に示した端子台コネクタに設けたスライダの動作説明図、同図（ａ）は固定ロックが解除された状態にあるときのスライダのスライド位置、同図（ｂ）は固定ロック状態におけるスライダのスライド位置を説明する図である。
【図５】図１に示した端子台コネクタをユニットケースに取り付ける前の状態を示す斜視図。
【図６】図１に示した端子台コネクタをユニットケースの取付穴に挿入した状態を示す斜視図。
【図７】図１に示した端子台コネクタの固定ロック状態を示す斜視図。
【図８】この発明の他の実施形態を示す組立分解図。
【図９】この発明の要部についての他の実施形態の説明図。
【図１０】この発明の要部についての他の実施形態の説明図。
【図１１】この発明の他の実施形態を示す斜視図。
【図１２】従来のアングルフック方式を採用する端子台コネクタの一例を示す組立分解図。
【符号の説明】
１    端子台コネクタ
１００    端子台コネクタ本体
１００ａ    切り欠き部
１１０    スライダ
１１１ａ、１１１ｂ    スライダ側のロック用係合部
１１２    把持部
１１３    梁側突起
１１４    梁
１１５    窪み
１１６    スライドガイド手段
１１６−１、１１６−３    ガイド部材
１１６−２    ガイド溝
１２１    対向突起
１２１ａ、１２１ｂ    嵌合穴
２００    ユニットケース（電子機器ケース）
２１０    取付穴
２１１ａ、２１１ｂ    ユニットケース側のロック用係合部
２３０    表示部
３００    基板
３１０    カードエッジ端子
３２０    コネクタ
４００ａ、４００ｂ    爪付きアングルフック
【図１】
0004312375.tif 000002
【図２】
0004312375.tif 000003
【図３】
0004312375.tif 000004
【図４】
0004312375.tif 000005
【図５】
0004312375.tif 000006
【図６】
0004312375.tif 000007
【図７】
0004312375.tif 000008
【図８】
0004312375.tif 000009
【図９】
0004312375.tif 000010
【図１０】
0004312375.tif 000011
【図１１】
0004312375.tif 000012
【図１２】
0004312375.tif 000013